(57)【要約】【課題】  バイオリン等の弦楽器の特に手指及び腕などが当たる特定の個所等を、傷、汗等から保護するための弦楽器保護カバーを提供する。【解決手段】  本発明の弦楽器保護カバー１は、コーナー部を有する弦楽器（バイオリン等）のネック側コーナー部とネック部との間に位置する横板を覆うカバー部材１１（鹿革等）を備え、着脱可能である。本発明の他の弦楽器保護カバーは、コーナー部を有する弦楽器の２箇所のテール側コーナー部の間に位置する横板を覆うカバー部材を備え、着脱可能である。本発明の更に他の弦楽器保護カバーは、コーナー部を有する弦楽器の裏板のうちのネック部の基端寄りの部分を覆うカバー部材を備え、弦楽器に着脱可能である。【選択図】  図１
2006154776.tif 000002
【特許請求の範囲】
【請求項１】
コーナー部を有する弦楽器のネック側コーナー部とネック部との間に位置する横板を覆うカバー部材を備え、該弦楽器に着脱可能であることを特徴とする弦楽器保護カバー。
【請求項２】
上記カバー部材は、更に表板の端縁部及び裏板の端縁部のうちの少なくとも一方を覆う請求項１に記載の弦楽器保護カバー。
【請求項３】
更に係止手段を備え、上記カバー部材は、該係止手段にて上記ネック側コーナー部及び上記ネック部のうちの少なくとも一方に係止される請求項１又は２に記載の弦楽器保護カバー。
【請求項４】
上記係止手段が係止用紐である請求項３に記載の弦楽器保護カバー。
【請求項５】
コーナー部を有する弦楽器の２箇所のテール側コーナー部の間に位置する横板を覆うカバー部材を備え、該弦楽器に着脱可能であることを特徴とする弦楽器保護カバー。
【請求項６】
上記カバー部材は、更に表板の端縁部及び裏板の端縁部のうちの少なくとも一方を覆う請求項５に記載の弦楽器保護カバー。
【請求項７】
更に係止手段を備え、上記カバー部材は、該係止手段にて上記２箇所のテール側コーナー部のうちの少なくとも一方に係止される請求項５又は６に記載の弦楽器保護カバー。
【請求項８】
上記係止手段が係止用紐である請求項７に記載の弦楽器保護カバー。
【請求項９】
コーナー部を有する弦楽器の裏板のうちの少なくともネック部の基端寄りの部分を覆うカバー部材を備え、該弦楽器に着脱可能であることを特徴とする弦楽器保護カバー。
【請求項１０】
上記カバー部材は、更に横板の少なくとも端縁部を覆う請求項９に記載の弦楽器保護カバー。
【請求項１１】
更に係止手段を備え、上記カバー部材は、該係止手段にて上記ネック部に係止される請求項９又は１０に記載の弦楽器保護カバー。
【請求項１２】
上記係止手段が係止用紐である請求項１１に記載の弦楽器保護カバー。
【発明の詳細な説明】
【技術分野】
【０００１】
本発明は、弦楽器保護カバーに関する。更に詳しくは、本発明は、コーナー部を有する弦楽器の演奏（個人の練習及び演奏会等）をする際に、特に、ハイポジションを用いるとき、手のひら、腕、腕時計及び衣服、装身具等により楽器を傷付けたり、汗により楽器の塗装を変色させたり、変質させたりすることを防止する弦楽器保護カバーに関する。また、演奏の合間等に楽器を持ち運んだりする際に、椅子、譜面台等の周辺の物品と接触させたりして楽器を傷付けることを防止するための弦楽器保護カバーに関する。更に、特に、チェロ、コントラバス等の大型の楽器では、演奏前、演奏の合間及び弦の交換時等に、横置き等にされることが多いが、そのようなときに楽器に傷が付くことを防止するための弦楽器保護カバーに関する。
本発明は、バイオリン、ビオラ、チェロ、コントラバス等のコーナー部を有する弦楽器の保護に用いることができる。
【背景技術】
【０００２】
弦楽器の演奏をする際に、手のひら及び腕等が楽器に触れることがあり、楽器の種類によっては、腕時計、衣服のボタン、ファスナー、アクセサリー等により楽器の表面を傷付けることがある。また、演奏時の発汗により楽器の表面に施された塗装が変色したり、変質したりすることもある。更に、演奏が繰り返されることにより、汗等の影響で楽器の表板と横板及び横板と裏板との間の接着が不十分になり、表板と横板、横板と裏板とが剥離したり、音色が変化したりすることもある。このような楽器の損傷、変色及び剥離等を防止し、楽器に塗装されたオリジナルのニスを可能な限り長期間残すため、従来から、楽器の傷付き易い個所、及び変色し易い個所等にハンカチなどを当てて演奏することが行われている。また、演奏の合間等に楽器をケースに収納せずに持ち歩いたりすることもあり、その際に、椅子、譜面台等の周辺の物品と接触させて傷付けてしまうことがある。しかし、このような傷付きに対しては十分な対策がとられていないのが実情である。
【０００３】
更に、エレキギターのように、演奏者が吊りベルトにより肩に掛け、腰のあたりに保持して演奏する楽器では、衣服のボタン、ベルトのバックル等により楽器の裏面を傷付け易い。そのため、樹脂及びゴム等からなる柔軟なシート材に吸盤が配設されたギター保護具が提案されている（例えば、特許文献１参照。）。また、クラシックギターを演奏する際、裏面及び右腕が乗せられる上部側面を覆い、衣服のボタン、アクセサリー等により特に裏面が傷付いたり、汗により上部側面等が変色したりすることを防止し、且つ楽器の外観が損なわれることもない特定の構造のギター保護カバーが提案されている（例えば、特許文献２参照。）。
【０００４】
【特許文献１】特開平８−１２３４０６号公報
【特許文献２】特開２００１−３０６０６３号公報
【発明の開示】
【発明が解決しようとする課題】
【０００５】
上記の特許文献１に記載された保護具及び特許文献２に記載された保護カバー等は、いずれもギターの特に裏面等を保護するものであり、この特定の用途においては楽器保護の作用、効果が奏される。しかし、形状、寸法及び演奏姿勢の異なるバイオリン、チェロ等において用いることはできない。
本発明は、上記の従来の状況に鑑みてなされたものであり、バイオリン等のコーナー部を有する弦楽器の傷が付いたり、変色したりし易い特定の個所を、傷、汗等から保護し、更には演奏の合間に持ち歩いたりする際に、他の物品と接触させる等により傷付けてしまうことを防止するための弦楽器保護カバーを提供することを目的とする。
【課題を解決するための手段】
【０００６】
本発明は以下のとおりである。
１．コーナー部を有する弦楽器のネック側コーナー部とネック部との間に位置する横板を覆うカバー部材を備え、該弦楽器に着脱可能であることを特徴とする弦楽器保護カバー。
２．上記カバー部材は、更に表板の端縁部及び裏板の端縁部のうちの少なくとも一方を覆う上記１．に記載の弦楽器保護カバー。
３．更に係止手段を備え、上記カバー部材は、該係止手段にて上記ネック側コーナー部及び上記ネック部のうちの少なくとも一方に係止される上記１．又は２．に記載の弦楽器保護カバー。
４．上記係止手段が係止用紐である上記３．に記載の弦楽器保護カバー。
５．コーナー部を有する弦楽器の２箇所のテール側コーナー部の間に位置する横板を覆うカバー部材を備え、該弦楽器に着脱可能であることを特徴とする弦楽器保護カバー。
６．上記カバー部材は、更に表板の端縁部及び裏板の端縁部のうちの少なくとも一方を覆う上記５．に記載の弦楽器保護カバー。
７．更に係止手段を備え、上記カバー部材は、該係止手段にて上記２箇所のテール側コーナー部のうちの少なくとも一方に係止される上記５．又は６．に記載の弦楽器保護カバー。
８．上記係止手段が係止用紐である上記７．に記載の弦楽器保護カバー。
９．コーナー部を有する弦楽器の裏板のうちの少なくともネック部の基端寄りの部分を覆うカバー部材を備え、該弦楽器に着脱可能であることを特徴とする弦楽器保護カバー。
１０．上記カバー部材は、更に横板の少なくとも端縁部を覆う上記９．に記載の弦楽器保護カバー。
１１．更に係止手段を備え、上記カバー部材は、該係止手段にて上記ネック部に係止される上記９．又は１０．に記載の弦楽器保護カバー。
１２．上記係止手段が係止用紐である上記１１．に記載の弦楽器保護カバー。
【発明の効果】
【０００７】
ネック側コーナー部とネック部との間に位置する横板を覆うカバー部材を備える本発明の弦楽器保護カバーによれば、特に、ハイポジションを演奏する際に、手のひら、腕及び衣服、装身具等が触れ易い特定の個所、及び弦楽器を、演奏の合間等に持ち運んだりする際に他物品と接触させ易い特定の個所に弦楽器保護カバーを装着することで、他物品との接触等により楽器を傷付けること、及び汗の付着等による楽器の塗装の変色、変質などを防止することができる。この弦楽器保護カバーは楽器への装着及び楽器からの取り外しが容易であり、且つ小型、軽量で持ち運び等も便利である。
カバー部材が、更に表板の端縁部及び裏板の端縁部のうちの少なくとも一方を覆う場合は、表板の端縁部及び裏板の端縁部をも保護することができる。
更に係止手段を備え、カバー部材が、係止手段にてネック側コーナー部及びネック部のうちの少なくとも一方に係止される場合は、保護カバーを楽器に確実に係止することができる。
２箇所のテール側コーナー部の間に位置する横板を覆うカバー部材を備える本発明の他の弦楽器保護カバーによれば、弦楽器を、演奏の合間等に持ち運んだりする際に他物品と接触させ易い特定の個所に弦楽器保護カバーを装着することで、楽器を傷付けることなどを防止することができる。この弦楽器保護カバーは楽器への装着及び楽器からの取り外しが容易であり、且つ小型、軽量で持ち運び等も便利である。
カバー部材が、更に表板の端縁部及び裏板の端縁部のうちの少なくとも一方を覆う場合は、表板の端縁部及び裏板の端縁部をも保護することができる。
更に係止手段を備え、カバー部材が、係止手段にて２箇所のテール側コーナー部のうちの少なくとも一方に係止される場合は、保護カバーを楽器に確実に係止することができる。
裏板のうちの少なくともネック部の基端寄りの部分を覆うカバー部材を備える本発明の更に他の弦楽器保護カバーによれば、特にチェロ、コントラバス等の場合に装飾品などにより裏板を傷付けることを防止することができる。
カバー部材が、更に横板の少なくとも端縁部を覆う場合は、横板の端縁部をも保護することができる。
更に係止手段を備え、カバー部材が、係止手段にてネック部に係止される場合は、保護カバーを楽器に確実に係止することができる。
係止手段が係止用紐である場合は、ネック部への脱着が容易である。
【発明を実施するための最良の形態】
【０００８】
以下、例えば、図１〜２４を用いて本発明を詳しく説明する。
［１］弦楽器保護カバー
上記「弦楽器２」（例えば、図１６〜２３におけるバイオリン及び図２４におけるチェロ）は、２箇所のネック側コーナー部２１１、２１２及び２箇所のテール側コーナー部２１３、２１４を有し、図１〜１５の弦楽器保護カバー１（以下、「保護カバー」ということもある。）を装着することができるものであれば特に限定されない。これらの４箇所のコーナー部２１１、２１２、２１３、２１４を有する弦楽器２としては、バイオリン、ビオラ、チェロ、コントラバス、ビオラ・ダモーレ、ビオラ・ダ・ガンバ、ガルドン、オクトバス、エレキバイオリン（例えば、ヤマハ社製、商品名「ヤマハサイレントバイオリンＳＶ−１２０、ＳＶ−２００」等）、エレキビオラ（例えば、ヤマハ社製、商品名「ヤマハサイレントビオラＳＶＶ−２００」等）、エレキチェロ（例えば、ヤマハ社製、商品名「ヤマハサイレントチェロＳＶＣ−５０、ＳＶＣ−１００Ｓ、ＳＶＣ−２００」等）、エレキコントラバス（例えば、ヤマハ社製、商品名「ヤマハサイレントコントラバスＳＬＢ−１００、ＳＬＢ−２００」等）などが挙げられる。
【０００９】
弦楽器２は、ネック部１１と、２箇所のネック側コーナー部２１１、２１２と、２箇所のテール側コーナー部２１３，２１４とを備える。本発明の保護カバー１は、２箇所のネック側コーナー部のうちの少なくとも一方とネック部との間に位置する横板を覆うカバー部材１１を備える。また、本発明の他の保護カバー１は、２箇所のテール側コーナー部の間に位置する横板を覆うカバー部材１１を備える。更に、本発明の更に他の保護カバー１は、裏板のうちの少なくともネック部の基端寄りの部分を覆うカバー部材１１を備える。
尚、「覆う」というのは、楽器の所定箇所に配設されているという意味であり、通常、楽器とカバー部材とが密着している部分もあるし、カバー部材と楽器の表面とが離間している部分もある。
【００１０】
弦楽器保護カバー１は、上記「カバー部材１１」が、本発明及び本発明の他の保護カバー１では、弦楽器２の横板２４、本発明の更に他の保護カバー１では、弦楽器２の裏板２６を覆う状態で用いられる。更に、本発明及び本発明の他の保護カバー１では、横板２４の他に、表板２５の端縁部２５１及び裏板２６の端縁部２６１を覆う状態で用いられることが好ましい。本発明の更に他の保護カバー１では、裏板２６の他に、横板２４の端縁部を覆う状態で用いられることが好ましい。これにより、楽器が傷付いたり、変色したりすることが防止される。そのため、覆っている面に密着し、ずれたりしないことが好ましく、ずれた場合に楽器の表面を傷付けることがないように柔軟なカバー部材であることが好ましい。また、本発明の保護カバー１では、このカバー部材の表面を演奏者の手のひら及び腕等が緩やかに又は急速に、強く又は弱く、変化しながら触れ、且つ擦ることもある。従って、特に、本発明の保護カバー１では、カバー部材は、手のひら及び腕等の滑らかな動きなどが妨げられることのない滑り易い材質からなることが好ましい。
【００１１】
カバー部材は上記のような特性を有しておればよく、このカバー部材の材質は特に限定されないが、布、天然皮革、合成皮革及び合成樹脂等を用いることができる。布としては、織物、フェルト及び不織布等が挙げられる。これらの布を構成する糸類は天然繊維からなる糸類でもよく、人造繊維からなる糸類でもよい。天然繊維としては、綿、羊毛、麻及び生糸等が挙げられる。また、人造繊維としては、レーヨン、スフ等の再生繊維、及びポリアミド、ポリエステル等の合成繊維などが挙げられる。この布としては、細い糸からなる繊維を用いた柔軟なものを用いることが好ましい。更に、天然皮革としては、鹿、羊、山羊及び牛等の皮革が挙げられる。合成皮革としては、ポリ塩化ビニル等からなる合成皮革が挙げられる。また、合成樹脂としては、アクリル樹脂、ポリオレフィン樹脂及びポリアミド樹脂等が挙げられる。これらのカバー部材のうちでは、天然皮革が好ましく、柔軟な鹿革であるセーム皮、鹿革の表面を毛羽立てたバックスキン、山羊革及び牛革等の表面を毛羽立てたスェードなどが特に好ましい。また、セーム皮、バックスキン、スェード等と外観、風合いが類似した合成皮革も好ましい。
【００１２】
更に、カバー部材は演奏時の汗により楽器の塗装が変色及び変質することのないように防水性を有していることが好ましい。カバー部材が合成樹脂のように十分な防水性を有する材質からなる場合は、そのまま用いることができるが、防水性が不十分であるときは、防水性を付与することができる。防水性を付与する方法は特に限定されないが、例えば、カバー部材の全面に合成樹脂を含浸させることで防水性を付与することができる。合成樹脂は、この合成樹脂を有機溶剤に溶解させた溶液、及び合成樹脂を水等に分散させた分散液などにカバー部材を浸漬し、又はこの溶液及び分散液などをカバー部材に塗布し、その後、乾燥させて有機溶媒及び水等を除去することによりカバー部材に含浸させることができる。
【００１３】
カバー部材には、合成樹脂からなるフィルムを貼着する等の方法により防水性を付与することもできる。貼着の方法は特に限定されず、接着剤により接合してもよく、フィルムを加熱して軟化させ、このフィルムとカバー部材とを押圧することにより貼着してもよい。このフィルムは、カバー部材の外側となる面に貼着してもよく、２枚の布等の間にフィルムを介在させる形態で貼着してもよい。合成樹脂としては特に限定されず、ポリエステル、ポリアミド及びポリ塩化ビニル等が挙げられる。
布は一般に防水性が高くないため、カバー部材が布からなるときは、上記のようにして防水性を付与することができる。一方、カバー部材が天然皮革、合成皮革及び合成樹脂からなるときは、通常、特別な処理等をしなくても十分な防水性を有している。
【００１４】
また、カバー部材は、楽器を覆っている面において容易に滑らないことが好ましい。カバー部材そのものが十分な滑り防止性を有している場合は、そのまま用いることができるが、滑り防止性が不十分であるときは、カバー部材に滑り防止性を付与することができる。滑り防止性を付与する方法は特に限定されず、ゴム等からなる摩擦係数の大きいフィルムを滑り防止部材としてカバー部材の楽器側の内面側に貼着する等の方法により滑り防止性を付与することができる。更に、この滑り防止部材は必ずしもカバー部材に貼着されている必要はなく、カバー部材と楽器との間に介装させて用いることもできる。取り扱い易さ等を考慮すれば、滑り防止部材をカバー部材に貼着する方法が好ましい。
【００１５】
滑り防止性は、カバー部材の楽器側の内面側に、ゴム等からなる複数の突起物を配設することで付与することもできる。この突起物の形状は特に限定されず、円柱、三角柱及び四角柱等の角柱、並びに円錐、三角錐及び四角錐等の角錐などとすることができ、これらが混在していてもよい。また、突起物の寸法も特に限定されず、楽器の種類等によって適宜の寸法とすることができる。この寸法は、例えば、楽器と接触する面における最大径を１〜１０ｍｍ、特に２〜８ｍｍ、更に３〜７ｍｍ、高さを１〜５ｍｍ、特に１〜３ｍｍとすることができ、楽器の大きさ、即ち、カバー部材の大きさ等により設定することが好ましい。更に、突起物の個数も特に限定されず、楽器の種類、突起物の寸法等によって適宜の個数とすることができる。この個数は、例えば、４〜２００個、特に２０〜１００個とすることができる。
【００１６】
突起物としては、寸法の大きい突起物を少数配設するよりも、寸法の小さい突起物を多数配設することが好ましい。更に、突起物はカバー部材の全面に均等に配設することが好ましく、突起物が均等に配設されておれば、カバー部材全体の滑りをより確実に防止することができる。ゴムとしては特に限定されず、アクリルゴム、ウレタンゴム、イソプレンゴム及びブタジエンゴム等を用いることができる。
布及び合成樹脂は一般に滑り易いため、カバー部材が布及び合成樹脂からなるときは、上記のようにして滑り防止性を付与することが好ましい。一方、カバー部材が天然皮革又は合成皮革からなるときは、通常、特別な処理等をしなくても十分な滑り防止性を有している。
【００１７】
カバー部材１１は弦楽器２に脱着可能である。例えば、カバー部材が前記の合成樹脂からなる成形品等であるときは、このカバー部材そのものが有する弾性により弦楽器の胴部を挟持する形態とすることにより装着することができ、且つ取り外しも容易である。この場合、カバー部材と弦楽器の表板及び裏板との間が滑り易いときは、カバー部材と表板及び裏板とが相対する内面側に、例えば、上記のゴム等からなる滑り防止部材を貼着することが好ましい。また、楽器に傷が付くことを防止するため、カバー部材の内面に柔軟な布等を貼着することもできる。このカバー部材の厚さは限定されず、演奏の際に邪魔にならず、脱着時の取り扱い等が容易であればよい。
【００１８】
更に、カバー部材は、柔軟な樹脂からなる成形品及びアクリルゴム、ウレタンゴム、イソプレンゴム及びブタジエンゴム等のゴムからなる成形品であってもよい。これらの柔軟な成形品であるときは、弦楽器に密着させて装着させることができる。特に、成形品の内面形状を楽器の胴部の外形と近似の形状とすることにより、容易に外れてしまうことのないカバー部材とすることができる。このカバー部材の厚さも限定されず、演奏の際に邪魔にならず、脱着時の取り扱い等が容易であればよい。
尚、合成樹脂からなる成形品及びゴムからなる成形品のいずれであっても、過度に厚いと、演奏時に手のひら、腕等が触れたときなどに邪魔になり、楽器の音色に影響することも有り得るため、この観点からも厚さは必要最小限であることが好ましく、例えば、０．５〜２．０ｍｍ、特に０．８〜１．５ｍｍであることが好ましい。
【００１９】
（１）本発明の保護カバーにおけるカバー部材
本発明の保護カバー１におけるカバー部材１１は、弦楽器２の、ネック側コーナー部２１１とネック部２２との間、及びネック側コーナー部２１２とネック部２２との間、のうちの少なくとも一方に位置する横板２４を覆っている。このカバー部材１１は、表板２５の端縁部２５１及び裏板２６の端縁部２６１も覆うことが好ましい。
【００２０】
コーナー部を有する弦楽器のうち、例えば、バイオリンとビオラとは寸法及び演奏姿勢ともに似通っているが、これらバイオリン等と、チェロ、コントラバスの各々とは寸法も演奏姿勢も異なっている。また、上記のその他の楽器のうちでも寸法及び演奏姿勢が似通っているものもあれば、異なっているものもある。しかし、これらの弦楽器２では、特に、ハイポジションを用いる場合、左の手のひら及び腕等が、楽器を表板２５の側から、且つネック部２２を上方にしてみた場合に、主に右側のコーナー部２１１と、ネック部２２との間に触れることでは共通している。従って、いずれの楽器においても、弦楽器保護カバー１は、上記の個所、特に右側のコーナー部２１１とネック部２２との間をカバー部材１１が覆うようにして装着される。
【００２１】
更に、バイオリン及びビオラ等と、チェロ及びコントラバス等とでは、楽器の寸法及び奏法の違いにより、手のひら及び腕等が触れ易い部分が異なる。即ち、ネック部２２の裏側から左腕を回して押弦するバイオリン及びビオラ等では、裏板２６の端縁部２６１に手のひら及び腕等が触れることが多い（図１６のａの部位に触れることが最も多く、次いでｂの部位に触れることが多い。）。一方、表側から押弦するチェロ及びコントラバス等では、表板２５の端縁部２５１に手のひら及び腕等が触れることが多い。このように楽器の種類によって手のひら及び腕等が触れ易い個所は異なるが、いずれの場合もカバー部材１１が弦楽器２の横板２４、表板２５の端縁部２５１及び裏板２６の端縁部２６１を覆うようにすることで、楽器を傷、汗等から十分に保護することができる。
【００２２】
カバー部材１は、例えば、図１６のように、横板２４を全幅に亘って覆い、更に表板２５と裏板２６において手のひら及び腕等が触れ易い端縁部２５１、２６１をも覆っていることが好ましい。この端縁部２５１、２６１の範囲は特に限定されないが、表板２５及び裏板２６の各々の端部から２０ｍｍの範囲、特に１５ｍｍの範囲、更に１０ｍｍの範囲とすることができる。表板２５及び裏板２６の各々の端部から１０ｍｍの範囲がカバー部材１１により覆われておれば、傷、変色等を十分に防止することができる。一方、表板２５及び裏板２６の各々の端部から２０ｍｍを越える部分に手のひら及び腕等が触れることはほとんどなく、２０ｍｍを越える部分は必ずしもカバー部材により覆われている必要はない。
【００２３】
本発明の保護カバー１におけるカバー部材１１の平面形状は特に限定されず、正方形、長方形、台形及び平行四辺形等の四角形などの多角形並びに円形、楕円形等が挙げられる。これらのうちでは、所要個所を十分に覆うことができる長方形及び楕円形等が好ましく、長方形（特に短辺の一方がやや傾斜している略長方形）が特に好ましい。更に、カバー部材の寸法も特に限定されず、それぞれの楽器の寸法等に応じて所定の寸法とすることができる。カバー部材の寸法は、バイオリンでは、コーナー部とネック部とに沿った方向（以下、この方向を「長さ方向」とする。）の寸法は１００〜１７０ｍｍ、特に１００〜１５０ｍｍ、更に１１０〜１３０ｍｍ、幅は５０〜９０ｍｍ、特に６０〜８０ｍｍとすることができる。ビオラでは、長さ方向の寸法は１１０〜１９０ｍｍ、特に１１０〜１６０ｍｍ、更に１２０〜１４０ｍｍ、幅は５０〜１００ｍｍ、特に６５〜８５ｍｍとすることができる。チェロでは、長さ方向の寸法は２００〜３５０ｍｍ、特に２２０〜３００ｍｍ、更に２３０〜２６０ｍｍ、幅は１４０〜２００ｍｍ、特に１７０〜１９０ｍｍとすることができる。コントラバスでは、長さ方向の寸法は２８０〜４６０ｍｍ、特に２８０〜３８０ｍｍ、更に２９０〜３３０ｍｍ、幅は２００〜３１０ｍｍ、特に２１０〜２５０ｍｍとすることができる。
【００２４】
カバー部材１１の平面形状は上記のように長方形であることが好ましいが、バイオリン等の弦楽器２では、ネック部２２を横板２４に接合するため、ネック部の端部に形成されたブロック部の幅が、表板２５の側から裏板２６の側へと幅狭になっている。従って、本発明の保護カバー１におけるカバー部材１１の場合、その平面形状を、この幅狭となっているブロック部に沿った形状としたときは、図１〜１１のように、カバー部材１１のネック部の側となる一辺がやや傾斜した略長方形となる。このような平面形状のカバー部材１１を使用し、そのやや傾斜した端部側が、図１６等のように、横板２４とネック部２２との境界線に接するようにして保護カバー１を装着させれば、傷付いたり、変色したりし易い部分の全面を保護することができ、好ましい。
【００２５】
（２）本発明の他の保護カバーにおけるカバー部材
本発明の他の保護カバー１におけるカバー部材１１は、２箇所のテール側コーナー部２１３、２１４の間に位置する横板２４を覆うように配設される。このカバー部材１１は、表板２５の端縁部２５１及び裏板２６の端縁部２６１をも覆うことが好ましい。コーナー部を有する弦楽器の寸法及び演奏姿勢は、似通っている楽器もあり、異なっている楽器もあることは前記のとおりである。しかし、これらの弦楽器２では、演奏の合間に楽器を持ち運んだりするときに、特に、テールピースが装着されている側（テール側）を椅子、譜面台等の他の物品と接触させて傷付けることがあることでは共通している。従って、いずれの楽器においても、弦楽器保護カバー１は、カバー部材１１が上記の個所を覆うようにして装着される。
【００２６】
カバー部材１は、例えば、図２２のように、横板２４を全幅に亘って覆い、更に表板２５と裏板２６において他の物品と接触し、傷付き易い端縁部２５１、２６１を覆うことが好ましい。この端縁部２５１、２６１の好ましい範囲は前記のとおりである。また、この本発明の他の保護カバーにおけるカバー部材１１の平面形状も前記の本発明の保護カバーの場合と同様とすることができ、その寸法も特に限定されず、それぞれの楽器の寸法等に応じて所定の寸法とすることができる。
【００２７】
（３）本発明の更に他の保護カバーにおけるカバー部材
本発明の更に他の保護カバー１におけるカバー部材１１は、特にチェロ及びコントラバスのような演奏姿勢の弦楽器において有用である。チェロ、コントラバス等では、楽器の裏板のうちの少なくともネック部の基端寄りの部分に演奏者のボタン及び装身具等が触れて傷付けてしまうことがあり、汗が付着することもある。従って、図２４のように、その部分がカバー部材１１により覆われるようにすることで、楽器が傷付くこと等を防止することができる。更に、このカバー部材の場合も、裏板のうちのネック部の基端寄りの部分のみでなく、図２５のように、横板の少なくとも端縁部をも覆っていることが好ましい。この端縁部の好ましい範囲も前記のとおりである。尚、この本発明の更に他の保護カバーでは、前記の柔軟な樹脂及びゴム等からなる成形品を用いることで、裏板のうちの少なくともネック部の基端寄りの部分に配設し、密着させるのみで装着し得る保護カバーとすることができる。
【００２８】
［２］係止手段
カバー部材１１は特段の係止手段を備えていなくても弦楽器に脱着することができるが、係止手段を備えていることが好ましい。本発明の保護カバー１は、係止手段によって、ネック側コーナー部２１１、２１２とネック部２２との間に装着させることができる。また、本発明の他の保護カバー１は、係止手段によって、テール側コーナー部２１３、２１４の間、又は一方のテール側コーナー部とエンドピン２７との間に装着させることができる。特に、チェロ及びコントラバスのような、大型であり、且つ横置きにされることのある楽器では、テール側コーナー部の間より、一方のテール側コーナー部とエンドピンとの間に装着されることのほうが多い。更に、本発明の更に他の保護カバー１は、係止手段によって、裏板２６のうちの少なくともネック部２２の基端寄りの部分に装着させることができる。即ち、裏板２６のうちのネック部２２の基端寄りの一部がカバー部材により覆われていてもよいし、裏板の全面がカバー部材により覆われていてもよい。
これらの係止手段は特に限定されないが、係止用紐であることが好ましい。係止用紐であれば、保護カバーの楽器への脱着が容易であり、使用していないときにも取り扱い易く、保管時も嵩張らないため好ましい。
【００２９】
以下、係止手段として係止用紐を用いた場合について具体的に説明する。
（１）本発明の弦楽器保護カバーにおける係止用紐
本発明の保護カバー１におけるカバー部材１１には、図１〜９のように、その長さ方向に沿った端部となる両端側に係止用紐挿通孔１１１を設けることができる。この係止用紐挿通孔１１１は、カバー部材１１により弦楽器２を覆った際に、カバー部材１１の長さ方向に沿った端部となる両端側を折り返して長さ方向に縫製することにより設けることができる（図１及び図４〜９参照）。また、折り返した両端側を長さ方向に接合することにより設けることができる。これらのうちでは、剥離等のない縫製による方法、及び接合し、且つ縫製する方法が好ましい。
【００３０】
係止用紐挿通孔１１１は、カバー部材１１の長さ方向に沿った端部となる両端側であり、且つ長さ方向の両端部、即ち、カバー部材１１の四隅に、紐挿通孔用部材を縫い付けることにより、及び接合し、且つ縫い付けることにより取り付けることで形成してもよい（図２参照）。この紐挿通孔用部材の材質は特に限定されず、カバー部材１１と同様に布及び皮革等を用いることができる。この布及び皮革としては、前記のカバー部材１１の場合に例示した各種のものを用いることができる。紐挿通孔用部材は、カバー部材と同じ材質でもよく、異なった材質でもよいが、同じ材質であることが好ましい。更に、図２では、４個の紐挿通孔用部材がカバー部材１１の四隅に取り付けてあるが、より多くの紐挿通孔用部材が取り付けられていてもよい。例えば、カバー部材１１の長さ方向の両端部に取り付けられた２個の紐挿通孔用部材の間に更に１〜３個の紐挿通孔用部材が取り付けられており、それぞれの紐挿通孔用部材により形成される紐挿通孔に係止用紐が挿通されていてもよい。
【００３１】
更に、カバー部材１１の長さ方向に沿った端部となる両端側であり、且つ長さ方向の両端部、即ち、カバー部材１１の四隅に紐挿通穴を開け、この紐挿通穴を係止用紐挿通孔１１１として用いることもできる（図３参照）。この場合、カバー部材１１のいずれの面を楽器に相対する内面側としてもよいが、楽器に細かい傷が付くことを防止するため、係止用紐の多くの部分が楽器に接触しない面を内面とすることが好ましい。また、図３では、４個の紐挿通穴がカバー部材１１の四隅に開けられているが、より多くの紐挿通穴が開けられていてもよい。例えば、カバー部材１１の長さ方向の両端部に開けられた２個の紐挿通穴の間に更に１〜１０個の紐挿通穴が開けられており、それぞれの紐挿通穴に係止用紐が挿通されていてもよい。
【００３２】
係止用紐挿通孔１１１には係止用紐が挿通される。カバー部材１１により弦楽器２を覆った場合に、このカバー部材１１の楽器のネック側コーナー部２１１、２１２の側となる端部から引き出されるネック側コーナー用紐部１２と、楽器のネック部２２の側となる端部から引き出されるネック用紐部１３とを有する係止用紐とすることができる。この係止用紐は、図６〜９のように、各々の係止用紐挿通孔１１１にそれぞれ挿通された２本の紐とすることができる。この場合、それぞれの紐がネック側コーナー用紐部１２とネック用紐部１３とを有し、各々のネック側コーナー用紐部１２を結んでネック側コーナー部２１１、２１２に引っ掛け、２本のネック用紐部１３のうちの一方を楽器のネック部の胴側の端部において指板部の下を挿通させ、ネック部の裏側において他方と結ぶことで、保護カバー１を楽器に装着することができる。
【００３３】
各々の係止用紐挿通孔１１１にそれぞれ係止用紐が挿通される場合、このままでは係止用紐が係止用紐挿通孔から抜け落ちてしまうことがある。そのため、係止用紐が係止用紐挿通孔から抜け落ちてしまわないようにすることが好ましい。係止用紐が抜け落ちないようにするためには、係止用紐に結び目を造る方法が挙げられる。また、図７、９のように、係止用紐に天然石、ガラス、合成樹脂等からなるビーズ等を挿通させ、接着剤等により固定して係止部１８を形成する方法が挙げられる。この結び目及び係止部１８等を形成する位置は特に限定されず、ネック側コーナー用紐部１２及びネック用紐部１３の各々の何処に形成してもよいが、ネック側コーナー用紐部１２及びネック用紐部１３がそれぞれ所定の長さになるように調整したうえで、係止用紐挿通孔１１１の端部近傍に結び目又は係止部１８等を形成することが好ましい。
尚、この係止用紐挿通孔１１１の端部近傍とは、係止用紐挿通孔１１１の端部から１５ｍｍ以内、特に１０ｍｍ以内、更に５ｍｍ以内（通常、１ｍｍ以上）のことをいう。
【００３４】
係止用紐は、図１〜５のように、１本の紐からなっていてもよい。この場合、一方の係止用紐挿通孔１１１にネック部の側となる端部から挿通された紐が、この一方の係止用紐挿通孔１１１のネック側コーナー部の側となる端部から引き出され、引き出された紐が他方の係止用紐挿通孔１１１にネック側コーナー部の側となる端部から挿通され、この紐が他方の係止用紐挿通孔１１１のネック部の側となる端部から引き出されて係止用紐となる。このような１本の紐からなる係止用紐では、その両端側がネック用紐部１３となり、この紐の長さ方向の中央部がループ状のネック側コーナー用紐部１２１となる。このループ状のネック側コーナー用紐部１２１をネック側コーナー部２１１、２１２に引っ掛け、それぞれのネック用紐部１３のうちの一方を楽器のネック部の胴側の端部において指板部の下を挿通させ、ネック部の裏側において他方と結ぶことで、保護カバー１を楽器に装着することができる。このように、ループ状のネック側コーナー用紐部１２１とした場合は、保護カバー１の弦楽器２への脱着がより容易であり好ましい。
【００３５】
上記のようにネック側コーナー用紐部をループ状にした場合は、ネック用紐部１３のみに結び目又は係止部１８等を形成すれば、係止用紐が係止用紐挿通孔１１１から抜け落ちてしまうことはない。しかし、ループ状のネック側コーナー用紐部１２１に結び目又は係止部等が形成されていないと、この紐部の長さが変化することがあり、この場合、保護カバー１を楽器に装着するときに最適な長さに調整する必要がある。従って、図５のように、ループ状のネック側コーナー用紐部１２１にも結び目又は係止部１８等を形成することがより好ましい。このループ状のネック側コーナー用紐部１２１に結び目又は係止部１８等を形成するときは、この紐部が所定の長さになるように調整したうえで、係止用紐挿通孔１１１の端部近傍（この端部近傍の意味は上記と同様である。）に結び目又は係止部１８等を形成することが好ましい。
【００３６】
保護カバー１は、ネック側コーナー用紐部１２及びネック用紐部１３の各々を結ぶ、又はループ状のネック側コーナー用紐部１２１としたときは、このループ状の紐部をネック側コーナー部に引っ掛け、且つネック用紐部１３を結ぶことで、楽器に装着することができる。また、保護カバー１は、ネック側コーナー用紐部１２及びネック用紐部１３のうちの少なくとも一方の各々の先端部に係止具を付設し、この係止具によって楽器に装着することもできる。この係止具は特に限定されず、例えば、面ファスナー１９（図４、６、７及び８参照）及び筒状体に、この筒状体の内径と略同寸法の外径を有する棒状体を挿入し、嵌合させて係止する係止具等が挙げられる。
【００３７】
係止具は、図４、６のように、ネック用紐部１３の先端部に付設することができる。また、図７のように、ネック側コーナー用紐部１２の先端部に付設することができる。更に、図８のように、ネック側コーナー用紐部１２の先端部及びネック用紐部１３の先端部に付設することもできる。これらの係止具を紐部の先端部に付設する方法も特に限定されず、例えば、面ファスナーは、縫い付ける、接着剤により接合する等により付設することができる。この場合、当て布をして縫い付ける、又は接合する等によって、より強固に付設することができる。また、筒状体と棒状体とを備える係止具は、その構造等により適宜の方法により付設することができる。
尚、係止具を付設した場合は紐を結ぶ必要がないため、それぞれの紐を短くすることができる。
【００３８】
カバー部材１１は、図１１のように、このカバー部材１１により弦楽器２を覆った場合、ネック側コーナー部２１１、２１２の側となる端部に、ネック側コーナー用係止紐１４が取り付けられた態様とすることもできる。カバー部材１１にネック側コーナー用係止紐１４を取り付ける方法は特に限定されず、縫製等が挙げられる。ネック側コーナー用係止紐１４は、この紐を結んで弦楽器２のネック側コーナー部２１１、２１２に引っ掛けることで、保護カバー１を楽器に装着することができればよく、カバー部材１１の幅方向における取り付け位置は特に限定されない。即ち、ネック側コーナー用係止紐１４は、カバー部材１１の長さ方向の端部の幅方向の任意の位置に２本取り付けられておればよく、この２本の紐の各々の端部を結んでネック側コーナー部に引っ掛けることができる。また、ネック側コーナー用係止紐１４は、図１１のように、カバー部材１１の幅方向の両端部にそれぞれ１本取り付けられていることが好ましく、このようにすれば保護カバーをより安定して楽器に装着することができる。
【００３９】
ネック側コーナー用係止紐１４は、図１０のように、１本の紐がループ状に取り付けられたものであってもよい。このようなループ状の紐であれば、結ぶ必要がなく、そのまま楽器のネック側コーナー部２１１、２１２に引っ掛けることができるため好ましい。このループ状のネック側コーナー用係止紐１４１の場合も、カバー部材１１の幅方向における取り付け位置は、上記と同様に特に限定されないが、図１０のように、紐の両端部がそれぞれカバー部材１１の幅方向の両端部に取り付けられていることが好ましく、このようにすれば保護カバーをより安定して楽器に装着することができる。
【００４０】
更に、この態様では、カバー部材１１に、図１０、１１のように、カバー部材１１により弦楽器２を覆った場合、ネック部２２の側となる端部に、ネック用係止紐１５を取り付けることができる。カバー部材１１にネック用係止紐１５を取り付ける方法は特に限定されず、縫製等が挙げられる。ネック用係止紐１５は、ネック部の側となる端部に２本取り付けられており、２本のネック用係止紐１５のうちの一方を楽器のネック部の胴側の端部において指板部の下を挿通させ、ネック部の裏側において他方と結ぶことで、保護カバー１を楽器に装着することができる。ネック用係止紐１５の取り付け位置は特に限定されず、カバー部材１１の長さ方向の端部の幅方向の任意の位置に２本取り付けられておればよい。また、ネック用係止紐１５は、図１０、１１のように、カバー部材１１の幅方向の両端部にそれぞれ１本取り付けられていることが好ましく、このようにすれば保護カバーをより安定して楽器に装着することができる。
【００４１】
この他の態様の場合は、保護カバー１は、ネック側コーナー用係止紐１４及びネック用係止紐１５の各々を結ぶ、又ループ状のネック側コーナー用係止紐１４１としたときは、このループ状の係止紐をネック側コーナー部に引っ掛け、且つネック用係止紐１５を結ぶことで、楽器に装着することができる。更に、保護カバーは、ネック側コーナー用係止紐及びネック用係止紐のうちの少なくとも一方の各々の先端部に係止具を付設し、この係止具によって楽器に装着することもできる。この係止具は特に限定されず、前記のように、面ファスナー及び筒状体と棒状体とを備える係止具等が挙げられる。これらの係止具は、前記と同様にして紐の先端部に付設することができる。
尚、係止具を付設した場合は紐を結ぶ必要がないため、それぞれの紐を短くすることができる。
【００４２】
（２）本発明の他の弦楽器保護カバーにおける係止用紐
本発明の他の保護カバー１におけるカバー部材１１には、図１２〜１５のように、その長さ方向に沿った端部となる両端側に、上記（１）本発明の保護カバーにおけるカバー部材と同様に係止用紐挿通孔１１１を設けることができる。また、この係止用紐挿通孔１１１は、上記（１）本発明の保護カバーにおけるカバー部材と同様に、紐挿通孔用部材を取り付けることで形成してもよい。更に、上記（１）本発明の保護カバーにおけるカバー部材と同様に、紐挿通穴を開け、この紐挿通穴を係止用紐挿通孔として用いることもできる。この場合、カバー部材のいずれの面を楽器に相対する内面側としてもよいが、係止用紐の多くの部分が楽器に接触しないようにすることが好ましい。
【００４３】
係止用紐挿通孔１１１には係止用紐が挿通される。カバー部材１１により弦楽器２を覆った場合に、このカバー部材１１の楽器の一方のテール側コーナー部２１３の側となる端部、及び他方のテール側コーナー部２１４の側となる端部からそれぞれ引き出されるテール側コーナー用紐部を有する係止用紐とすることができる。また、この本発明の他の保護カバー１におけるカバー部材１１は、一方の側をエンドピン２７に係止させることもできる。この態様では、エンドピン２７に係止される側はエンドピン用紐部となる。この係止用紐は、各々の係止用紐挿通孔１１１にそれぞれ挿通された２本の紐とすることができる。この場合、それぞれの紐がテール側コーナー用紐部又はエンドピン用紐部を有し、それぞれの紐部を結んでテール側コーナー部２１３、２１４又はエンドピン２７に引っ掛けることで、保護カバー１を楽器に装着することができる。更に、上記（１）本発明の保護カバーの場合と同様にして、図１４のように、係止用紐に結び目を造る、又は係止部１８を形成することもできる。
【００４４】
係止用紐は、図１２〜１５のように、１本の紐からなっていてもよい。この場合、一方の係止用紐挿通孔１１１に一方のテール側コーナー部の側となる端部から挿通された紐が、この一方の係止用紐挿通孔１１１の他方のテール側コーナー部の側となる端部から引き出され、引き出された紐が他方の係止用紐挿通孔１１１に他方のテール側コーナー部の側となる端部から挿通され、この紐が他方の係止用紐挿通孔１１１の一方のテール側コーナー部の側となる端部から引き出されて係止用紐となる。このような１本の紐からなる係止用紐では、その両端側がテール側コーナー用紐部１６２となり、この紐の長さ方向の中央部がループ状のテール側コーナー用紐部１６１となる。このループ状のテール側コーナー用紐部１６１を他方のテール側コーナー部に引っ掛け、それぞれのテール側コーナー用紐部１６２を一方のテール側コーナー部において結ぶことで、保護カバー１を楽器に装着することができる。尚、図１５のように、テール側コーナー用紐部１６２も予め結んでおく、又は縫製及び接合等によりループ状としておき、テール側コーナー部に引っ掛けることもできる。このように、ループ状のテール側コーナー用紐部１６１、１６２１とした場合は、保護カバー１の弦楽器２への脱着がより容易であり好ましい。尚、この態様の場合も、紐部の一方をエンドピン用紐部とし、エンドピン２７に係止させることもできる。
【００４５】
また、ループ状にした場合は、係止用紐が係止用紐挿通孔１１１から抜け落ちてしまうことはないが、上記（１）の本発明の保護カバーの場合と同様に、ループ状の紐部の各々に結び目又は係止部等を形成することが好ましい。更に、テール側コーナー用紐部１６１、１６２（一方がエンドピン用紐部となることもある。）は、各々を結んで、又はループ状の紐部１６１、１６２１（一方がエンドピン用紐部となることもある。）として、テール側コーナー部２１３、２１４（又はエンドピン２７）に引っ掛けることができるが、例えば、図１３のように、上記（１）の本発明の保護カバーの場合と同様に、先端部に係止具１９（面ファスナー）を付設し、この係止具によって楽器に装着することもできる。
【００４６】
カバー部材は、上記（１）の本発明の保護カバーにおけるカバー部材と同様に、このカバー部材により弦楽器を覆った場合、テール側コーナー部の各々の側となる端部に、テール側コーナー用係止紐がそれぞれ取り付けられた態様とすることもできる。この場合も、テール側コーナー用係止紐のうちの少なくとも一方は、１本の紐がループ状に取り付けられたものであってもよい。このようなループ状の紐であれば、結ぶ必要がなく、そのまま
楽器のテール側コーナー部に引っ掛けることができるため好ましい。また、この他の態様でも、一方をエンドピン用係止紐とし、エンドピン２７に係止させることもできる。更に、この他の態様の場合も、保護カバーは、テール側コーナー用係止紐（又はエンドピン用係止紐）のうちの少なくとも一方の各々の先端部に係止具を付設し、この係止具によって楽器に装着することもできる。
【００４７】
（３）本発明の更に他の弦楽器保護カバーにおける係止用紐
本発明の更に他の保護カバー１におけるカバー部材１１では、図２４のように、楽器に装着された際にネック部２２の基端の近傍となる位置に係止手段としてネック側係止用紐１７を取り付けることができる。このネック側係止用紐１７は、それぞれカバー部材に取り付けられた２本の紐でもよいし、１本の紐の中間部をカバー部材に取り付け、両端側の各々を係止部分として用いてもよい。このネック側係止用紐１７の取り付け方法は特に限定されず、例えば、カバー部材に縫い付けることにより、及び接合し、且つ縫い付けることにより取り付けることができる。このネック側係止用紐は、一方を楽器のネック部の胴側の端部において指板部の下を挿通させ、ネック部のいずれかの側部において他方と結ぶことで、保護カバー１を弦楽器２に装着することができる。尚、図２４では、ネック側係止用紐はネック部２２の基端の近傍となる位置に取り付けられているが、この位置に限られず、ネック部２２とネック側コーナー部２１１、２１２との間のネック部２２から１／４〜１／３の位置に取り付けることもできる。
【００４８】
この本発明の更に他の保護カバーの場合も、ネック側係止用紐の一方及び他方の各々の先端部に係止具を付設し、この係止具によって楽器に装着することもできる。この係止具も特に限定されず、例えば、前記のように、面ファスナー及び筒状体に、この筒状体の内径と略同寸法の外径を有する棒状体を挿入し、嵌合させて係止する係止具等を用いることができる。これらの係止具を紐部の先端部に付設する方法も特に限定されず、前記と同様にして付設することができる。
尚、係止具を付設した場合は紐を結ぶ必要がないため、それぞれの紐を短くすることができる。
【００４９】
以上、詳述した本発明の保護カバー、本発明の他の保護カバー及び本発明の更に他の保護カバーの各々における係止用紐は、カバー部材１１を弦楽器２に装着する際、及び演奏する際に容易に切れてしまうことのないものであればよく、材質等は特に限定されない。これらの紐としては、天然繊維及び合成繊維等からなる複数の糸が紐形状に織られてなる組紐、伸縮性を有するゴム組紐、並びに革紐等を用いることができる。天然繊維及び合成繊維としては、前記の保護カバーの形成に使用される繊維と同様のものを用いることができる。また、革紐としては、前記の保護カバーの形成に使用される各種の革と同様の革からなるものを用いることができる。
【００５０】
［３］係止用紐を備える保護カバーの使用方法
係止手段として係止用紐を備える弦楽器保護カバーは以下のようにして使用することができる。
（１）本発明の弦楽器保護カバーの使用方法
本発明の弦楽器保護カバー１は、図１６〜２１のように、カバー部材１１を、弦楽器２のネック側コーナー部２１１、２１２のうちの少なくとも一方とネック部２２との間に位置する横板２４を覆うように配設し、係止用紐のうちの係止用紐挿通孔１１１のネック側コーナー部２１１、２１２のうちの少なくとも一方の側から引き出されたネック側コーナー用紐部１２をネック側コーナー部２１１、２１２に係止し、且つ係止用紐のうちの係止用紐挿通孔１１１のネック部２２の側から引き出されたネック用紐部１３をネック部２２に係止することで使用することができる。カバー部材１１は、横板２４のみでなく、表板２５の端縁部２５１及び裏板２６の端縁部２６１をも覆うように配設することが好ましい。
【００５１】
この弦楽器保護カバー１は、上記のようにしてバイオリン等のネック側コーナー部２１１、２１２を有する弦楽器２に容易に装着することができ、演奏時に手のひら及び腕等が触れることがある個所を保護することができる。ネック側コーナー用紐部１２が、図６〜９のように、２本の紐からなるときは、この２本の紐を結び、ネック側コーナー部２１１、２１２に引っ掛けることで係止することができる。更に、ネック側コーナー用紐部１２は、図１〜５のように、ループ状とすることができ、このようにループ状のネック側コーナー用紐部１２１とした場合は、保護カバー１をより容易に弦楽器に脱着することができる。また、ネック用紐部１３は、一方のネック用紐部１３を弦楽器２のネック部２２の胴側の端部において指板部２３の下を挿通させ、ネック部２２の裏側において他方のネック用紐部１３と結ぶことで、ネック部２２に係止することができる。ネック側コーナー部２１１、２１２への係止とネック部２２への係止は、ネック側コーナー用紐部がループ状でないときは順序は問わないが、ネック側コーナー用紐部がループ状であるときは、この紐部１２１のコーナー部２１１、２１２への係止を先に行うことで、保護カバー１をより容易に弦楽器２に装着することができる。
【００５２】
この保護カバー１は、ネック側コーナー用紐部１２及びネック用紐部１３のうちの少なくとも一方の先端部に付設された、面ファスナー等の係止具によりネック側コーナー部及びネック部に係止することで使用することもできる。これらの係止具は、ネック側コーナー用紐部１２及びネック用紐部１３のうちの少なくとも一方の先端部に取り付けられた一方の部材と、他方の部材とを有し、これらの部材を係止することで保護カバー１を弦楽器２に装着することができる。
【００５３】
更に、他の態様では、カバー部材１１を、弦楽器２のネック側コーナー部２１１、２１２とネック部２２との間に位置する横板２４を覆うように配設し、カバー部材１１のネック側コーナー部２１１、２１２の側となる端部に取り付けられたネック側コーナー用係止紐１４、ループ状のネック側コーナー用係止紐１４１をコーナー部２１１、２１２に係止させ、且つカバー部材１１のネック部２２の側の端部に取り付けられたネック用係止紐１５をネック部２２に係止させることで使用することができる。カバー部材１１は、横板２４のみでなく、表板２５の端縁部２５１及び裏板２６の端縁部２６１のうちの少なくとも一方をも覆うように配設することが好ましい。
【００５４】
この他の態様では、上記のようにしてバイオリン等のネック側コーナー部２１１、２１２を有する弦楽器２に容易に装着することができ、演奏時に手のひら及び腕が触れることがある個所を保護することができる。ネック側コーナー用係止紐１４が、図１１のように、２本の紐からなるときは、この２本の紐を結び、ネック側コーナー部２１１、２１２に引っ掛けることで係止することができる。また、ネック側コーナー用係止紐は、図１０のように、ループ状とすることができ、このようにループ状のネック側コーナー用係止紐１４１とした場合は、保護カバー１をより容易に弦楽器に脱着することができる。更に、ネック用係止紐１５は、一方のネック用係止紐１５を弦楽器２のネック部２２の胴側の端部において指板部２３の下を挿通させ、ネック部２２の裏側において他方のネック用係止紐１５と結ぶことで、ネック部２２に係止することができる。ネック側コーナー部２１１、２１２への係止とネック部２２への係止は、ネック側コーナー用係止紐がループ状でないときは順序は問わないが、ネック側コーナー用係止紐がループ状であるときは、ネック側コーナー用係止紐１４１のコーナー部２１１、２１２への係止を先に行うことで、保護カバー１をより容易に弦楽器２に装着することができる。
【００５５】
この他の態様の場合も、保護カバー１は、ネック側コーナー用係止紐１４及びネック用係止紐１５のうちの少なくとも一方の先端部に付設された、面ファスナー等の係止具によりネック側コーナー部及びネック部に係止することで使用することもできる。これらの係止具は、ネック側コーナー用係止紐１４及びネック用係止紐１５のうちの少なくとも一方の先端部に取り付けられた一方の部材と、他方の部材とを有し、これらの部材を係止することで保護カバー１を弦楽器２に装着することができる。
【００５６】
（２）本発明の他の弦楽器保護カバーの使用方法
本発明の他の弦楽器保護カバー１は、図２２〜２３のように、カバー部材１１を、弦楽器２の２箇所のテール側コーナー部２１３、２１４の間に位置する横板２４を覆うように配設し、係止用紐のうちの係止用紐挿通孔１１１のテール側コーナー部２１３の側から引き出されたテール側コーナー用紐部１６１をテール側コーナー部２１３に係止し、且つ係止用紐のうちの係止用紐挿通孔１１１のテール側コーナー部２１４の側から引き出されたテール側コーナー用紐部１６２をテール側コーナー部２１４に係止することで使用することができる。また、一方をエンドピン用紐部とし、この紐部をエンドピン２７に係止させて用いることもできる。カバー部材１１は、横板２４のみでなく、表板２５の端縁部２５１及び裏板２６の端縁部２６１のうちの少なくとも一方をも覆うように配設することが好ましい。
【００５７】
この他の弦楽器保護カバー１は、上記のようにしてバイオリン等の２箇所のテール側コーナー部２１３、２１４及びエンドピン２７を有する弦楽器２に容易に装着することができ、持ち運ぶときなどに他の物品に触れて楽器が傷付くことがある個所を保護することができる。テール側コーナー用紐部（又はエンドピン用紐部）がループ状でないときは、２本の紐を結び、テール側コーナー部２１３、２１４（又はエンドピン２７）の各々に引っ掛けることで係止することができる。また、テール側コーナー用紐部は、図１２〜１４のように、１本の係止用紐を用いて一方をループ状とすることができ（図１２〜１４におけるテール側コーナー用紐部１６１）、このようにループ状のコーナー側紐部１６１（又はエンドピン用紐部）とした場合は、保護カバー１をより容易に弦楽器に脱着することができる。更に、テール側コーナー用紐部は、図１５のように、両方のコーナー側においてループ状とすることができ（図１５におけるテール側コーナー用紐部１６１、１６２１）、このように両方をループ状のテール側コーナー用紐部（又は一方をエンドピン用紐部）とした場合は、保護カバー１を特に容易に弦楽器２に脱着することができる。
【００５８】
この保護カバー１では、ループ状でないテール側コーナー用紐部（又はエンドピン用紐部）の先端部の各々に前記と同様にして付設された、面ファスナー等の係止具を係止することで使用することもできる。これらの係止具は、テール側コーナー用紐部（又はエンドピン用紐部）のうちの一方の先端部に取り付けられた一方の部材と、他方の先端部に取り付けられた他方の部材とを有し、これらの各々の部材を係止することで保護カバー１を弦楽器２に装着することができる。
【００５９】
また、他の態様として、カバー部材１１の２箇所のテール側コーナー部２１３、２１４の側となる各々の端部に、一方の２本のテール側コーナー用係止紐と、他方の２本のテール側コーナー用係止紐（各々の２本の係止紐の一方はエンドピン用係止紐となる場合もある。）とが取り付けられた保護カバーとすることができる。この場合、各々の２本の係止紐を結び、それぞれ２個のテール側コーナー部２１３、２１４（又はエンドピン２７）に係止させることで使用することができる。この他の態様では、上記のようにしてバイオリン等の２箇所のテール側コーナー部２１３、２１４及びエンドピン２７を有する弦楽器２に容易に装着することができ、持ち運ぶときなどに他の物品と触れて傷付くことがある個所を保護することができる。
更に、この保護カバー１では、４本のテール側コーナー用係止紐（一方の２本はエンドピン用係止紐である場合もある。）の各々の先端部に前記と同様にして付設された、面ファスナー等の係止具を係止することで使用することもできる。
【００６０】
（３）本発明の更に他の弦楽器保護カバーの使用方法
本発明の更に他の弦楽器保護カバー１は、図２４〜２５のように、カバー部材１１を、楽器に装着された際にネック部２２の基端の近傍となる位置等を覆うように配設し、係止手段として取り付けられたネック側係止用紐１７の一方を、楽器のネック部２２の胴側の端部において指板部２３の下を挿通させ、ネック部２２のいずれかの側部において他方と結ぶことで楽器に装着することができる。この保護カバーの場合も、一方及び他方の各々の先端部に前記と同様にして面ファスナー等の係止具を付設し、この係止具によって楽器に装着することもできる。
尚、係止具を付設した場合は紐を結ぶ必要がないため、それぞれの紐を短くすることができる。
【実施例】
【００６１】
以下、実施例により本発明を具体的に説明する。
実施例１
本発明の弦楽器保護カバーを作製し、これをバイオリンに装着して用いた。
［１］弦楽器保護カバー
弦楽器保護カバー１は、図１のように、バックスキンからなるカバー部材１１を備える。このカバー部材１１には、その長さ方向に沿った端部の両端側を折り返して縫製することにより係止用紐挿通孔１１１が設けられている。また、カバー部材１１の寸法は長さ方向の少し長い側が１２５ｍｍ、長さ方向の少し短い側が１１９ｍｍ、幅方向が７２ｍｍである。このように、カバー部材１１の平面形状は、長さ方向のネック部の側となる一辺がやや傾斜した略長方形である。
【００６２】
また、合成繊維からなる断面円形の１本の組紐が、一方の係止用紐挿通孔１１１にネック部の側となる端部から挿通され、この紐が一方の係止用紐挿通孔１１１のコーナー部の側となる端部から引き出され、引き出された紐が他方の係止用紐挿通孔１１１にコーナー部の側となる端部から挿通され、この紐が他方の係止用紐挿通孔１１１のネック部の側となる端部から引き出されている。この係止用紐のループ状のネック側コーナー用紐部１２１の長さは１２０ｍｍである。また、図１６〜１９のように、バイオリン２のネック部２２の胴側の端部において指板部２３の下を挿通される一方のネック用紐部１３の長さは２６０ｍｍであり、ネック部の裏側において一方のネック用紐部１３と結ばれる他方のネック用紐部１３の長さは１８０ｍｍである。
【００６３】
［２］弦楽器保護カバーのバイオリンへの装着
図１６〜１９のように、上記［１］において作製した弦楽器保護カバー１のループ状のネック側コーナー用紐部１２１をバイオリン２の右側のコーナー部２１１に引っ掛け、カバー部材１１を、バイオリン２の右側のコーナー部２１１とネック部２２との間に位置する横板２４、表板２５の端縁部２５１及び裏板２６の端縁部２６１を覆うように配設した状態で、一方のネック用紐部１３をバイオリン２のネック部２２の胴側の端部において指板部２３の下を挿通させ、ネック部２２の裏側において他方のネック用紐部１３と結んで弦楽器保護カバー１をバイオリン２に装着した。
このようにして弦楽器保護カバーを装着したバイオリンを用いて、３ヶ月間、一日に２時間繰り返し練習してみたが、バイオリンに傷が付いたり、塗装が変色したりすることはなかった。
【００６４】
実施例２
本発明の他の弦楽器保護カバーを作製し、これをバイオリンに装着して用いた。
［１］弦楽器保護カバー
弦楽器保護カバー１は、図１のように、バックスキンからなるカバー部材１１を備える。このカバー部材１１には、その長さ方向に沿った端部の両端側を折り返して縫製することにより係止用紐挿通孔１１１が設けられている。また、カバー部材１１の寸法は長さ方向が１２５ｍｍ、幅方向が７２ｍｍである。このように、カバー部材１１の平面形状は長方形である。
【００６５】
また、合成繊維からなる断面円形の１本の組紐が、一方の係止用紐挿通孔１１１に一方のテール側コーナー部の側となる端部から挿通され、この紐が一方の係止用紐挿通孔１１１の他方のテール側コーナー部の側となる端部から引き出され、引き出された紐が他方の係止用紐挿通孔１１１に他方のテール側コーナー部の側となる端部から挿通され、この紐が他方の係止用紐挿通孔１１１の一方のテール側コーナー部の側となる端部から引き出されている。この係止用紐のループ状となっている一方のテール側コーナー用紐部１６１の長さは１３５ｍｍである。また、ループ状となっていない他方のテール側コーナー用紐部１６２の長さはそれぞれ１８３ｍｍである。
【００６６】
［２］弦楽器保護カバーのバイオリンへの装着
図２２〜２３のように、上記［１］において作製した弦楽器保護カバー１のループ状の一方のテール側コーナー用紐部１６１をバイオリン２の一方のテール側コーナー部２１３に引っ掛け、カバー部材１１を、バイオリン２の２箇所のテール側コーナー部の間に位置する横板２４、表板２５の端縁部２５１及び裏板２６の端縁部２６１を覆うように配設した状態で、他方のテール側コーナー用紐部１６２をバイオリン２の他方のテール側コーナー部２１４に引っ掛けた形態で結び、弦楽器保護カバー１をバイオリン２に装着した。
このようにして弦楽器保護カバーを装着したバイオリンを用いて、３ヶ月間、一日に２時間繰り返し練習した。また、練習の合間にケースに収納せずに持ち歩いたりしたが、バイオリンに傷が付いたり、塗装が変色したりすることはなかった。
【図面の簡単な説明】
【００６７】
【図１】係止用紐が１本の紐からなり、ネック側コーナー用紐部がループ状になっている本発明の弦楽器保護カバーの一例の斜視図である。
【図２】図１において、他の態様の係止用紐挿通孔を有する本発明の弦楽器保護カバーの一例の斜視図である。
【図３】図１において、更に他の態様の係止用紐挿通孔を有する本発明の弦楽器保護カバーの一例の斜視図である。
【図４】図１において、ネック用紐部の先端部に面ファスナーが付設されている本発明の弦楽器保護カバーの一例の斜視図である。
【図５】図１において、ループ状のネック側コーナー用紐部と、ネック用紐部との各々の、カバー部材の係止用紐挿通孔の端部近傍にビーズが固定され、係止部が形成されている本発明の弦楽器保護カバーの一例の斜視図である。
【図６】ネック側コーナー用紐部がループ状になっていない本発明の弦楽器保護カバーの一例の斜視図である。
【図７】図６において、ネック用紐部の先端部に面ファスナーが付設されている本発明の弦楽器保護カバーの一例の斜視図である。
【図８】図６において、ネック側コーナー用紐部と、ネック用紐部の各々の先端部に面ファスナーが付設されている本発明の弦楽器保護カバーの一例の斜視図である。
【図９】図６において、ネック側コーナー用紐部及びネック用紐部の各々の、カバー部材の係止用紐挿通孔の端部近傍にビーズが固定され、係止部が形成されている本発明の弦楽器保護カバーの一例の斜視図である。
【図１０】ネック側コーナー用係止紐がループ状になっている本発明の他の態様の弦楽器保護カバーの一例の斜視図である。
【図１１】ネック側コーナー用係止紐がループ状になっていない本発明の他の弦楽器保護カバーの一例の斜視図である。
【図１２】係止用紐が１本の紐からなり、一方のテール側コーナー用紐部がループ状になっている本発明の他の弦楽器保護カバーの一例の斜視図である。
【図１３】図１２において、他方のテール側コーナー用紐部の先端部に面ファスナーが付設されている本発明の他の弦楽器保護カバーの一例の斜視図である。
【図１４】図１２において、他方のテール側コーナー用紐部の各々の、カバー部材の係止用紐挿通孔の端部近傍にビーズが固定され、係止部が形成されている本発明の他の弦楽器保護カバーの一例の斜視図である。
【図１５】係止用紐が１本の紐からなり、一方のテール側コーナー用紐部がループ状になっており、他方のテール側コーナー用紐部の両端部が接合されてループ状になっている本発明の他の弦楽器保護カバーの一例の斜視図である。
【図１６】弦楽器（バイオリン）の所定個所に図１（実施例１）の弦楽器保護カバーを装着した様子を示す斜視図である。
【図１７】弦楽器（バイオリン）の所定個所に実施例１の弦楽器保護カバーを装着した様子を弦楽器の表板の側からみた平面図である。
【図１８】弦楽器（バイオリン）の所定個所に実施例１の弦楽器保護カバーを装着した様子を弦楽器の横板の側からみた平面図である。
【図１９】弦楽器（バイオリン）の所定個所に実施例１の弦楽器保護カバーを装着した様子を弦楽器の裏板の側からみた平面図である。
【図２０】実施例１の弦楽器保護カバーのカバー部材が、弦楽器（バイオリン）の図１７とは対象の位置を覆うようにして装着された様子を弦楽器の表板の側からみた平面図である。
【図２１】２個の実施例１の弦楽器保護カバーの各々のカバー部材が、それぞれ弦楽器（バイオリン）のネック部の一方の側及び他方の側を覆うようにして装着された様子を弦楽器の表板の側からみた平面図である。
【図２２】弦楽器（バイオリン）のテールピース側の所定個所に本発明の他の弦楽器保護カバーを装着した様子を弦楽器の表板の側からみた平面図である。
【図２３】弦楽器（バイオリン）のテールピース側の所定個所に本発明の他の弦楽器保護カバーを装着した様子を弦楽器の裏板の側からみた平面図である。
【図２４】弦楽器（チェロ）のネック部の基端寄りの所定個所に弦楽器保護カバーを装着した様子を弦楽器の裏板の側からみた平面図である。
【図２５】弦楽器（チェロ）のネック部の基端寄りの所定個所及び横板に弦楽器保護カバーを装着した様子を示す斜視図である。
【符号の説明】
【００６８】
１；弦楽器保護カバー、１１；カバー部材、１１１；係止用紐装通孔、１２；ネック側コーナー用紐部、１２１；ループ状のネック側コーナー用紐部、１３；ネック用紐部、１４；ネック側コーナー用係止紐、１４１；ループ状のネック側コーナー用係止紐、１５；ネック用係止紐、１６１；ループ状のテール側コーナー用紐部、１６２；テール側コーナー用紐部、１６２１；ループ状のテール側コーナー用紐部、１７；ネック側係止用紐、１８；係止部、１９；面ファスナー、２；弦楽器、２１１、２１２；ネック側コーナー部、２１３、２１４；テール側コーナー部、２２；ネック部、２２１；ネック部の基端部、２３；指板部、２４；横板、２４１；横板の端縁部、２５；表板、２５１；表板の端縁部、２６；裏板、２６１；裏板の端縁部、２７；エンドピン。
【図１】
2006154776.tif 000003
【図２】
2006154776.tif 000004
【図３】
2006154776.tif 000005
【図４】
2006154776.tif 000006
【図５】
2006154776.tif 000007
【図６】
2006154776.tif 000008
【図７】
2006154776.tif 000009
【図８】
2006154776.tif 000010
【図９】
2006154776.tif 000011
【図１０】
2006154776.tif 000012
【図１１】
2006154776.tif 000013
【図１２】
2006154776.tif 000014
【図１３】
2006154776.tif 000015
【図１４】
2006154776.tif 000016
【図１５】
2006154776.tif 000017
【図１６】
2006154776.tif 000018
【図１７】
2006154776.tif 000019
【図１８】
2006154776.tif 000020
【図１９】
2006154776.tif 000021
【図２０】
2006154776.tif 000022
【図２１】
2006154776.tif 000023
【図２２】
2006154776.tif 000024
【図２３】
2006154776.tif 000025
【図２４】
2006154776.tif 000026
【図２５】
2006154776.tif 000027